(57)【要約】【課題】コンクリートの充填不良が生じないように、充填状況を目視で確認しながらコンクリート打設作業を行うことができる金属製型枠パネルを提供する。【解決手段】コンクリート打設後も硬化したコンクリート躯体の表面に一体化したまま残される金属製型枠パネル１において、コンクリートの充填状況を点検するための同形同寸法の点検孔７を上下左右等間隔ｐに配置して複数設ける。この構成によれば、コンクリート打設時にその充填状況を点検孔７によって点検することができる。各点検孔７が同形同寸法であり、かつ上下左右等間隔ｐに配置することにより、コンクリートの圧力が各点検孔７に加わるので、正確な点検結果が得られる。【選択図】図１
2006118303.tif 000002
【特許請求の範囲】
【請求項１】
コンクリート打設後も硬化したコンクリート躯体の表面に一体化したまま残される金属製型枠パネルにおいて、コンクリートの充填状況を点検するための同形同寸法の点検孔を上下左右等間隔の配置で複数設けたことを特徴とする金属製型枠パネル。
【発明の詳細な説明】
【技術分野】
【０００１】
この発明は、土木建築工事おいてコンクリート型枠の堰板に使用される金属製型枠パネルに関する。
【背景技術】
【０００２】
地球環境保護の観点から、南洋材を使用した合板製の型枠パネルに代り、金属製型枠パネルが普及してきている。金属製型枠パネルは、例えば特許文献１に開示されているように、強度保持のために断面波形に成形された鋼板に、セパレータを挿通するための孔、コンクリートの余剰水を排出する水抜き用の孔等が加工施されている。
【特許文献１】特開２００２−３０８０６号公報
【発明の開示】
【発明が解決しようとする課題】
【０００３】
この種の金属製型枠パネルは、コンクリートを打設した後も硬化したコンクリート躯体の表面に一体化したまま残されるので、当該型枠パネルの解体、撤去の必要がないという利点がある反面、コンクリートの充填状況を把握しにくいという問題点があった。従来、前記水抜き用の孔を利用してコンクリートの充填状況を点検することはあったが、水抜き用の孔は上下左右均等に配置されていないので、充填状況を正確には把握できなかった。
【０００４】
コンクリートの充填不良により、まめ板やジャンカと呼ばれる空間や空壁が生じると、コンクリート構造物の強度が低下し、設計強度を満たさない事態を招くおそれがある。そこで、このようなコンクリートの充填不良を防止するために、コンクリート打設時にバイブレータを使ってコンクリートの流動性を良くしている。しかしながら、１９９５年の阪神淡路大震災以降、鉄筋コンクリート構造物についての設計強度基準が見直されて、以前よりも鉄筋と鉄筋の間隔が狭くなってきているため、バイブレータを使ってもコンクリートを隅々まで均一に充填するのが困難になり、コンクリートの充填不良が生じやすい状況になっている。
【０００５】
本発明は、上記事情に鑑みなされたもので、コンクリートの充填不良が生じないように、充填状況を目視で確認しながらコンクリート打設作業を行うことができる金属製型枠パネルを提供することを課題としている。
【課題を解決するための手段】
【０００６】
上記課題を解決するために、本発明は次のように構成した。すなわち、本発明にかかる金属製型枠パネルは、コンクリート打設後も硬化したコンクリート躯体の表面に一体化したまま残される金属製型枠パネルにおいて、コンクリートの充填状況を点検するための同形同寸法の点検孔を上下左右等間隔の配置で複数設けたことを特徴としている。
【０００７】
この構成によれば、コンクリート打設時にその充填状況を点検孔によって点検することができる。点検孔からコンクリートの余剰水が排出されている場合は、当該点検孔の周囲にコンクリートが充填されており、点検孔からコンクリートの余剰水が排出されていない場合は、当該点検孔の周囲にコンクリートが充填されていない。各点検孔が同形同寸法であり、かつ上下左右等間隔に配置することにより、コンクリートの圧力が各点検孔に均等に加わるので、正確な点検結果が得られる。
【発明の効果】
【０００８】
本発明にかかる金属製型枠パネルを使用して型枠を組み立てれば、点検孔からの余剰水排出の状態を目視で点検することにより、コンクリートの充填状況を正確に把握しながらコンクリートを打設することができる。これにより、まめ板やジャンカといった充填不良の発生を防止することができ、堅牢なコンクリート構造物を構築することが可能になる。
【発明を実施するための最良の形態】
【０００９】
本発明を実施するための最良の形態を、以下に示す実施例に基づき具体的に説明する。
【実施例】
【００１０】
図１及び図２に示す金属製型枠パネル１は、表面が亜鉛等でメッキされた薄肉鋼鈑を加工成形したものであって、断面コ字形をした上下方向のリブ部２と、隣接する一対のリブ部２，２の端部同士を連結する連結部３とが交互に並列に配置された全体形状略波形をし、各連結部３には２本の上下方向の小リブ４が形成されている。この形状とすることにより、上下方向の圧縮や曲げに対しては強く、左右方向に曲げやすい構造になっている。
【００１１】
リブ部２には、円形のセパレータ孔６が等間隔で複数形成されている。このセパレータ孔６は、図２に示すように、円形をした輪郭の一部（図示例では左側部分）が切断されずに残されており、この非切断部６ａを介して輪郭の内側部６ｂが外側部と繋がった形態をしている。したがって、セパレータ孔６は完全に開口した孔ではなく、初期状態では半ば閉塞した状態にあり、セパレータを挿通する場合に輪郭の非切断部６ａを切断もしくは折り曲げて輪郭の内側部６ｂを除去することにより完全に開口させるようになっている。
【００１２】
また、リブ部２のセパレータ孔６間には、セパレータ孔６よりも直径の小さい円形の点検孔７が形成されている。点検孔７の直径は、生コンクリートの余剰水は排出するが生コンクリート自体は排出しない大きさ、例えば３．５ｍｍ程度とするのが好ましい。リブ部２における点検孔７のピッチｐは、隣接する一対のリブ部２の中心間距離ｐに等しい。すなわち、点検孔７は上下左右等間隔に配置されている。（セパレータ孔６も上下左右等間隔に配置されている。）この点検孔７の配置間隔ｐは、５０ｍｍ程度にすると良い。
【００１３】
さらに、リブ部２及び連結部３には、左右幅を有しない単なる切り目である上下方向のスリット８が同一線上に等間隔で複数形成されている。これにより、スリット８が位置する上下方向の線に沿って、当該パネルを人手だけで容易に屈曲させることができる。
【００１４】
図３は上記金属製型枠パネルを用いて組み立てた型枠の一例を表している。その組立て順序を説明する。まず、捨てコンクリート１０の上に断面Ｕ字形のライナー金具１１を固定し、そのライナー金具１１に下端部を嵌合させて型枠パネル１を建て込む。型枠のコーナー部では、スリット８の位置する上下方向の線に沿って型枠パネル１を折り曲げたり湾曲させたりして使用する。そして、対向する型枠パネル１，１の開口セパレータ孔６に両端部を挿通させたセパレータ１２によって、両型枠パネルを結合一体化する。なお、セパレータ１２を挿通しないセパレータ孔６は半閉塞状態のままにしておく。また、型枠パネル１の外面には水平方向に鋼管１３を配し、それをセパレータ１２の端部に固定する。最後に、安全のため、建て込んだ型枠パネル１の上端部に前記ライナー金具１１を逆向きに被せて取り付ける。このように組み立てられた型枠は、型枠パネル１の上下方向のリブ部２と水平方向の鋼管１３とが格子状に組み合っているので、上下方向の曲げにも水平方向の曲げにも強い堅固な構造となっている。
【００１５】
型枠が完成したならば、型枠内に生コンクリートを打設する。打設時には、点検孔７を利用してコンクリートの充填状況を目視で点検する。点検孔７からコンクリートの余剰水が排出されていれば、当該点検孔の周囲にコンクリートが充填されていることを意味する。点検孔７からコンクリートの余剰水が排出されていない場合は、当該点検孔の周囲にコンクリートが充填されていないということであるから、その近辺をバイブレータで重点的に振動を与えて、隅々までコンクリートが均一に充填されるようにする。前述したように点検孔７は上下左右等間隔に配置されているので、点検が型枠各部で均等に行われ、コンクリートの充填状況を正確に把握することができる。なお、半閉塞状態のセパレータ孔６及びスリット８は単なる切り目であるので、これらからコンクリートの余剰水は排出されない。
【００１６】
打設後も点検孔６から余剰水を排出され、コンクリートが理想的な状態で硬化する。コンクリートが完全に硬化した後、鋼管１３が取り外される。型枠パネル１は解体せずそのまま残される。
【産業上の利用可能性】
【００１７】
本発明は、上記実施例のように断面コ字形のリブ部を有する波形の型枠パネルに限らず、他の形態の型枠パネルにも適用できる。また、点検孔７の形状は、円形以外、例えば三角形、四角形、他の多角形としてもよい。
【図面の簡単な説明】
【００１８】
【図１】本発明にかかる金属製型枠パネルの（ａ）正面図及び（ｂ）平面図である。
【図２】セパレータ孔の周辺部を拡大して表示した（ａ）正面図及び（ｂ）平面図である。
【図３】型枠の斜視図である。
【符号の説明】
【００１９】
１  金属製型枠パネル
２  リブ部
３  連結部
４  小リブ
６  セパレータ孔
７  点検孔
８  スリット
【図１】
2006118303.tif 000003
【図２】
2006118303.tif 000004
【図３】
2006118303.tif 000005